(57)【要約】【課題】合成樹脂成形品のリールと従動歯車とが圧入固定されている遊技機において、高温条件下で使用される場合であっても、簡易な構成によってリールの振動発生を抑制すること。【解決手段】パチスロ１は、複数の図柄が表面に配され、回転可能に設けられた３つのリール３Ｃ，３Ｌ，３Ｒと、リール３Ｃ，３Ｌ，３Ｒの回転軸６１１に同軸に固定された従動歯車６１８と、従動歯車６１８にステッピングモータ４９Ｃ，４９Ｌ，４９Ｒの回転駆動力を伝達する原動歯車６１７と、を備える。リール３Ｃ，３Ｌ，３Ｒは、従動歯車６１８のボス部６１８ａを圧入する圧入穴６１０ａを中心に有し、従動歯車６１８は、一方が回転軸６１１に向けて開口すると共に他方が圧入部６１０ｂに対向する凹部６２０を有する。凹部６２０には、圧入部６１０ｂ及び回転軸６１１を付勢する圧縮ばね６２５を設けた。【選択図】図８
2010005083.tif 000002
【特許請求の範囲】
【請求項１】
複数の図柄が表面に配され、回転可能に設けられた複数のリールと、
前記リールの回転軸に同軸に固定された従動車と、
前記従動車にモータの回転駆動力を伝達する原動車と、
を備え、
前記リールは、前記従動車のボス部を圧入する圧入穴を中心に有し、
前記従動車は、一方が前記回転軸に向けて開口すると共に他方が前記リールとの圧入部に対向する凹部を有し、
前記凹部には、前記圧入部及び前記回転軸を付勢する圧縮ばねを設けたことを特徴とする遊技機。
【請求項２】
複数の図柄が表面に配され、回転可能に設けられた複数のリールと、
前記リールの回転軸に同軸に固定された従動車と、
前記従動車にモータの回転駆動力を伝達する原動車と、
を備え、
前記リールは、前記従動車のボス部を圧入する圧入穴を中心に有し、
前記従動車は、一方が前記回転軸に向けて開口すると共に他方が前記リールとの圧入部に対向する凹部を有し、
前記凹部には、前記圧入部及び前記回転軸を付勢する弾性体を設けたことを特徴とする遊技機。
【請求項３】
複数の図柄が表面に配され、回転可能に設けられた複数のリールを備え、
前記リールは、マグネシウム合金からなることを特徴とする遊技機。
【請求項４】
前記弾性体は、天然ゴム、合成ゴム及び熱可塑性エラストマーのうちいずれか一つからなることを特徴とする請求項２記載の遊技機。
【発明の詳細な説明】
【技術分野】
【０００１】
本発明は、遊技機に関する。
【背景技術】
【０００２】
従来、複数の図柄がそれぞれの表面に配された複数のリールと、遊技メダルやコイン等（以下、「メダル等」という）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチ及びストップスイッチにより出力された信号に基づいて、ステッピングモータの動作を制御し、各リールの回転及びその停止を行うリール制御部と、を備え、スタートレバーが操作されたことを検出すると、乱数値に基づいて抽籤を行い、この抽籤の結果（以下、「内部当籤役」という）とストップボタンが操作されたことを検出したタイミングとに基づいてリールの回転の停止を行う、パチスロと呼ばれる遊技機が知られている。
【０００３】
このような遊技機のリールの回転軸には、ステッピングモータの回転力を伝達される従動車（例えば、リールギアと呼ばれる従動歯車）が固定されている。リールは、従動車のボス部を圧入する圧入穴を中心に有する。リール及び従動車は、軽量化等のため、熱可塑性樹脂（例えば、ＡＢＳ樹脂やＰＣ樹脂等）から成形されている。
【０００４】
尚、関連する従来技術として、リールの始動時及び停止時においてリールの面揺れを抑制する手段が提供されている（例えば、特許文献１参照）。
【特許文献１】特開２００５−００６８３８号公報
【発明の開示】
【発明が解決しようとする課題】
【０００５】
上述したように、リールと従動車との固定は、リールの圧入穴に従動車のボス部を圧入することによって行われている。遊戯が長時間行われ、リール等の動作時間が増えると、上記圧入部の温度も上昇する。そして、圧入部が例えば７０度以上の温度になると、熱収縮によって当該圧入部に微小な隙間が生じるため、上記圧入の効果が低減されてしまう。
【０００６】
したがって、リールの回転が停止すると、回転方向に慣性力が働くため、圧入部に生じた上記隙間によってリールと従動車との間に位置ずれが生じ、振動発生の原因となっていた。
【０００７】
このため、上記高温条件下であっても、リールと従動車の圧入部に隙間が生じないようにするために、リール等の製造時においては、圧入（嵌め合い）のための厳格な寸法管理や、当該圧入部に接着剤を塗布する等の工程が必要となり、コストアップの要因にもなっていた。
【０００８】
また、熱可塑性樹脂の成形品であるリールには、次のような課題もあった。すなわち、リールの軽量化のためには、各部の肉厚を極限まで薄く形成せざるを得ず、剛性が低くなりがちである。このため、ステッピングモータの回転出力に対してリール外周での応答性が悪く、不安定であった。
【０００９】
一方、上記剛性不足を補うために、重量（体積）をある程度増やそうとすると、小型軽量化しにくくなってしまうという、相反する課題があった。
【００１０】
本発明は、このような問題に鑑みてなされたものであり、合成樹脂成形品のリールと従動車とが圧入固定されている遊技機において、高温条件下で使用される場合であっても、簡易な構成によってリールの振動発生を抑制することができる遊技機を提供することを目的とする。
【００１１】
また、本発明は、高温条件下で使用される場合であっても寸法安定性に優れ、剛性を確保しつつ小型軽量化を図ることができるリールを備えた遊技機を提供することを目的とする。
【課題を解決するための手段】
【００１２】
本発明は、以下のような遊技機を提供する。
【００１３】
（１）  複数の図柄が表面に配され、回転可能に設けられた複数のリールと、前記リールの回転軸に同軸に固定された従動車と、前記従動車にモータの回転駆動力を伝達する原動車と、を備え、前記リールは、前記従動車のボス部を圧入する圧入穴を中心に有し、前記従動車は、一方が前記回転軸に向けて開口すると共に他方が前記リールとの圧入部に対向する凹部を有し、前記凹部には、前記圧入部及び前記回転軸を付勢する圧縮ばねを設けたことを特徴とする遊技機。
【００１４】
合成樹脂成形品のリールと従動車（例えば、リールギアと呼ばれる従動歯車）とが圧入固定されており、高温条件下で使用される場合であっても、従動車の凹部に設けられた圧縮ばねが、圧入部及び回転軸を常時付勢している。
【００１５】
このため、圧入部が例えば７０度以上の温度になり、熱収縮によって当該圧入部に微小な隙間が生じようとしても、上記圧縮ばねによって圧入部が密着する方向に付勢されているので、微小な隙間は生じず、圧入の効果が低減されることがない。
【００１６】
また、合成樹脂成形品のリールと従動車にある程度の寸法ばらつきがあっても、上記圧縮ばねによって圧入部が密着する方向に付勢されているので、当該寸法ばらつきによる微小な隙間を吸収することができる。よって、合成樹脂成形品の寸法管理を緩和することができる。
【００１７】
したがって、（１）の発明による遊技機は、合成樹脂成形品のリールと従動車とが圧入固定されている遊技機において、高温条件下で使用される場合であっても、簡易な構成によってリールの振動発生を抑制することができる。
【００１８】
（２）  複数の図柄が表面に配され、回転可能に設けられた複数のリールと、前記リールの回転軸に同軸に固定された従動車と、前記従動車にモータの回転駆動力を伝達する原動車と、を備え、前記リールは、前記従動車のボス部を圧入する圧入穴を中心に有し、前記従動車は、一方が前記回転軸に向けて開口すると共に他方が前記リールとの圧入部に対向する凹部を有し、前記凹部には、前記圧入部及び前記回転軸を付勢する弾性体を設けたことを特徴とする遊技機。
【００１９】
合成樹脂成形品のリールと従動車（例えば、リールギヤ）とが圧入固定されており、高温条件下で使用される場合であっても、従動車の凹部に設けられた弾性体が、圧入部及び回転軸を常時付勢している。
【００２０】
このため、圧入部が例えば７０度以上の温度になり、熱収縮によって当該圧入部に微小な隙間が生じようとしても、上記弾性体によって圧入部が密着する方向に付勢されているので、微小な隙間は生じず、圧入の効果が低減されることがない。
【００２１】
また、合成樹脂成形品のリールと従動車にある程度の寸法ばらつきがあっても、上記弾性体によって圧入部が密着する方向に付勢されているので、当該寸法ばらつきによる微小な隙間を吸収することができる。よって、合成樹脂成形品の寸法管理を緩和することができる。
【００２２】
したがって、（２）の発明による遊技機は、合成樹脂成形品のリールと従動車とが圧入固定されている遊技機において、高温条件下で使用される場合であっても、簡易な構成によってリールの振動発生を抑制することができる。
【００２３】
（３）  複数の図柄が表面に配され、回転可能に設けられた複数のリールを備え、前記リールは、マグネシウム合金からなることを特徴とする遊技機。
【００２４】
マグネシウム合金は、比強度（強度／比重）が熱可塑性樹脂（例えば、ＡＢＳ樹脂やＰＣ樹脂等）の１０倍程度あるため、剛性を向上でき、モータの回転出力に対してリール外周での応答性が改善される。
【００２５】
また、マグネシウム合金の比重は、上記熱可塑性樹脂の１．５倍程度あるが、上述したように比強度に優れている。このため、リールをマグネシウム合金によって形成しても、リール各部の肉厚を薄くする等、構造を簡素化することによって、結果的に全体の重量を低減することができ、小型軽量化を維持できる。
【００２６】
また、マグネシウム合金は、高温条件下で使用される場合であっても、寸法安定性に優れているため、合成樹脂成形品のリールにおいて生じていた圧入部における熱変形（熱収縮）の問題は生じない。
【００２７】
したがって、（３）の発明による遊技機は、高温条件下で使用される場合であっても寸法安定性に優れ、剛性を確保しつつ小型軽量化を図ることができるリールを備えた遊技機を提供することができる。
【００２８】
（４）  前記弾性体は、天然ゴム、合成ゴム及び熱可塑性エラストマーのうちいずれか一つからなることを特徴とする（２）に記載の遊技機。
【００２９】
したがって、（４）の発明による遊技機は、弾性体を、天然ゴム、合成ゴム（例えば、クロロプレンゴム等）及び熱可塑性エラストマーといった汎用的な素材のうち、いずれか一つから形成することによって、低コストで構成することができる。
【発明の効果】
【００３０】
本発明による遊技機は、合成樹脂成形品のリールと従動車とが圧入固定されている遊技機において、高温条件下で使用される場合であっても、簡易な構成によってリールの振動発生を抑制することができる。
【００３１】
また、本発明による遊技機は、高温条件下で使用される場合であっても寸法安定性に優れ、剛性を確保しつつ小型軽量化を図ることができる。
【発明を実施するための最良の形態】
【００３２】
〔第１実施形態〕
以下、図面を参照して本発明を実施するための最良の形態を説明する。
【００３３】
［パチスロの機能フロー］
本発明の遊技機に係る実施の形態について、以下図面を参照しながら説明する。はじめに、図１を参照して、本実施の形態における遊技機（以下、パチスロ）１の機能フローについて説明する。図１は、第１実施形態に係るパチスロ１の機能フローを示す説明図である。
【００３４】
遊技者によりメダルが投入され、スタートレバー６が操作されると、予め定められた数値の範囲（例えば、０〜６５５３５）の乱数から一つの値（以下、乱数値）が抽出される。
【００３５】
内部抽籤手段（後述のメインＣＰＵ３１）は、抽出された乱数値に基づいて抽籤を行い、内部当籤役を決定する。内部当籤役の決定により、後述の入賞判定ラインに沿って表示を行うことを許可する図柄の組合せが決定される。尚、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００３６】
続いて、複数のリール３Ｌ，３Ｃ，３Ｒの回転が行われた後で、遊技者によりストップボタン７Ｌ，７Ｃ，７Ｒが押されると、リール停止制御手段（後述のモータ駆動回路３９、後述のステッピングモータ４９Ｌ，４９Ｃ，４９Ｒ）は、内部当籤役とストップボタン７Ｌ，７Ｃ，７Ｒが押されたタイミングとに基づいて、該当するリール３Ｌ，３Ｃ，３Ｒの回転を停止する制御を行う。
【００３７】
ここで、パチスロ１では、基本的に、ストップボタン７Ｌ，７Ｃ，７Ｒが押されたときから規定時間（１９０ｍｓｅｃ）内に、該当するリール３Ｌ，３Ｃ，３Ｒの回転を停止する制御が行われる。本実施の形態では、上記規定時間内でのリール３Ｌ，３Ｃ，３Ｒの回転に伴って移動する図柄の数を「滑り駒数」と呼び、その最大数を図柄４個分に定める。
【００３８】
リール停止制御手段は、入賞に係る図柄の組合せの表示を許可する内部当籤役が決定されているときでは、上記規定時間を利用して、その図柄の組合せが入賞判定ラインに沿って極力表示されるようにリール３Ｌ，３Ｃ，３Ｒの回転を停止する。その一方で、内部当籤役によってその表示が許可されていない図柄の組合せについては、上記規定時間を利用して、入賞判定ラインに沿って表示されることがないようにリール３Ｌ，３Ｃ，３Ｒの回転を停止する。
【００３９】
こうして、複数のリール３Ｌ，３Ｃ，３Ｒの回転が全て停止されると、入賞判定手段（後述のメインＣＰＵ３１）は、入賞判定ラインに沿って表示された図柄の組合せが、入賞に係るものであるか否かの判定を行う。入賞に係るものであるとの判定が行われると、メダルの払い出し等の特典が遊技者に与えられる。以上のような一連の流れがパチスロ１における１回の遊技として行われる。
【００４０】
また、パチスロ１では、前述した一連の流れの中で、液晶表示装置５により行う映像の表示、ランプ１４により行う光の出力、スピーカ９Ｌ，９Ｒにより行う音の出力、或いはこれらの組合せを利用して様々な演出が行われる。
【００４１】
遊技者によりスタートレバー６が操作されると、前述の内部当籤役の決定に用いられた乱数値とは別に、演出用の乱数値（以下、演出用乱数値）が抽出される。演出用乱数値が抽出されると、演出内容決定手段（後述のサブＣＰＵ８１）は、内部当籤役に対応づけられた複数種類の演出内容の中から今回実行するものを抽籤により決定する。
【００４２】
演出内容が決定されると、演出実行手段は、リール３Ｌ，３Ｃ，３Ｒの回転が開始されるとき、各リール３Ｌ，３Ｃ，３Ｒの回転がそれぞれ停止されるとき、入賞の有無の判定が行われたとき等の各契機に連動させて演出の実行を進める。このように、パチスロ１では、内部当籤役に対応づけられた演出内容を実行することによって、決定された内部当籤役（言い換えると、狙うべき図柄の組合せ）を知る或いは予想する機会が遊技者に提供され、遊技者の興味の向上が図られる。
【００４３】
［パチスロの構造］
パチスロ１の機能フローについての説明は以上である。次に、図２及び図３を参照して、本実施の形態におけるパチスロ１の構造について説明する。
【００４４】
＜パチスロの外部構造＞
図２は、パチスロ１の外部構造を示す斜視図である。
【００４５】
（リールと表示窓）
パチスロ１は、リール３Ｌ，３Ｃ，３Ｒや回路基板等を収容するキャビネット１ａと、キャビネット１ａに対して開閉可能に取り付けられるフロントドア２とを備える。キャビネット１ａの内部には、３つのリール３Ｌ，３Ｃ，３Ｒが横並びに設けられている。以下、これら３つのリール３Ｌ，３Ｃ，３Ｒをリールユニット３と称することとする（後述の図４参照）。各リール３Ｌ，３Ｃ，３Ｒは、円筒状のフレームの周面に、複数の図柄（例えば２１個）が回転方向に沿って連続的に配されて構成されている。リールユニット３の構成の詳細については、後述する。
【００４６】
フロントドア２の中央には、液晶表示装置５が設けられている。液晶表示装置５は、図柄表示領域２１Ｌ，２１Ｃ，２１Ｒを含む表示画面５ａを備え、正面から見て３つのリール３Ｌ，３Ｃ，３Ｒに重畳する手前側に位置するように設けられている。図柄表示領域２１Ｌ，２１Ｃ，２１Ｒは、３つのリール３Ｌ，３Ｃ，３Ｒのそれぞれに対応して設けられており、その背後に設けられたリール３Ｌ，３Ｃ，３Ｒを透過することが可能な構成を備えている。
【００４７】
つまり、図柄表示領域２１Ｌ，２１Ｃ，２１Ｒは、表示窓としての機能を果たすものであり、その背後に設けられたリール３Ｌ，３Ｃ，３Ｒの回転及びその停止の動作が遊技者側から視認可能となる。また、本実施の形態では、図柄表示領域２１Ｌ，２１Ｃ，２１Ｒを含めた表示画面５ａの全体を使って、映像の表示が行われ、演出が実行される。
【００４８】
図柄表示領域（以下、表示窓）２１Ｌ，２１Ｃ，２１Ｒは、その背後に設けられたリール３Ｌ，３Ｃ，３Ｒの回転が停止されたとき、リール３Ｌ，３Ｃ，３Ｒの表面に配された複数種類の図柄のうち、その枠内における上段、中段及び下段の各領域にそれぞれ１個の図柄（合計で３個）を表示する。また、各表示窓２１Ｌ，２１Ｃ，２１Ｒが有する上段、中段及び下段からなる３つの領域のうち予め定められたいずれかをそれぞれ組合せてなる擬似的なラインを、入賞か否かの判定を行う対象となるライン（入賞判定ライン）として定義する。
【００４９】
本実施形態では、各表示窓２１Ｌ，２１Ｃ，２１Ｒの上段を組合せてなるトップライン８ｂ、各表示窓２１Ｌ，２１Ｃ，２１Ｒの中段を組合せてなるセンターライン８ｃ、各表示窓２１Ｌ，２１Ｃ，２１Ｒの下段を組合せてなるボトムライン８ｄ、左表示窓２１Ｌの上段、中表示窓２１Ｃの中段及び右表示窓２１Ｒの下段を組合せてなるクロスダウンライン８ｅ、左表示窓２１Ｌの下段、中表示窓２１Ｃの中段及び右表示窓２１Ｒの上段を組合せてなるクロスアップライン８ａの５つを入賞判定ラインとして設けている。
【００５０】
（操作装置）
フロントドア２には、遊技者による操作の対象となる各種装置が設けられている。メダル投入口１０は、遊技者によって外部から投下されるメダルを受け入れるために設けられる。メダル投入口１０に受け入れられたメダルは、所定枚数（例えば３枚）を上限として１回の遊技に投入されることとなり、所定枚数を超えた分はパチスロ１内部に預けることが可能となる（いわゆるクレジット機能）。
【００５１】
ベットボタン１１は、パチスロ１内部に預けられているメダルから１回の遊技に投入する枚数を決定するために設けられる。精算ボタン１２は、パチスロ１内部に預けられているメダルを外部に引き出すために設けられる。
【００５２】
スタートレバー６は、全てのリール３Ｌ，３Ｃ，３Ｒの回転を開始するために設けられる。ストップボタン７Ｌ，７Ｃ，７Ｒは、３つのリール３Ｌ，３Ｃ，３Ｒのそれぞれに対応づけられ、対応するリール３Ｌ，３Ｃ，３Ｒの回転を停止するために設けられる。
【００５３】
（その他装置）
７セグ表示器１３は、７セグメントＬＥＤからなり、今回の遊技に投入されたメダルの枚数（以下、投入枚数）、特典として遊技者に対して払い出すメダルの枚数（以下、払出枚数）、パチスロ１内部に預けられているメダルの枚数（以下、クレジット枚数）等の情報を遊技者に対してデジタル表示する。
【００５４】
ランプ（ＬＥＤ等）１４は、演出内容に応じた点消灯のパターンにて光を出力する。スピーカ９Ｌ，９Ｒは、演出内容に応じた効果音や楽曲等の音を出力する。メダル払出口１５は、後述のメダル払出装置４０（後述の図３参照）の駆動により排出されるメダルを外部に導く。メダル払出口１５から排出されたメダルは、メダル受皿１６に貯められる。
【００５５】
＜パチスロの内部構造＞
図３は、パチスロ１の内部構造を示す斜視図である。すなわち、図３には、フロントドア２が開放され、フロントドア２の裏面側の構造及びキャビネット１ａ内部の構造が現れた状態が示されている。
【００５６】
キャビネット１ａ内部の上方には、主制御回路７１（後述の図９参照）が形成された基板（以下、主基板７１Ａ）が設けられている。主制御回路７１は、内部当籤役の決定、リール３Ｌ，３Ｃ，３Ｒの回転及び停止、入賞の有無の判定といった、パチスロ１における遊技の主な流れを制御する回路である。主制御回路７１の具体的な構成は後述する。
【００５７】
キャビネット１ａ内部の中央には、３つのリール３Ｌ，３Ｃ，３Ｒが設けられている。各リール３Ｌ，３Ｃ，３Ｒのそれぞれには、所定の減速比をもったギアを介してステッピングモータ４９Ｌ，４９Ｃ，４９Ｒ（後述の図８参照）が接続されている。
【００５８】
３つのリール３Ｌ，３Ｃ，３Ｒの左側には、副制御回路７２（後述の図１０参照）が形成された基板（以下、副基板７２Ａ）が設けられている。副制御回路７２は、映像の表示等による演出の実行を制御する回路である。副制御回路７２の具体的な構成は後述する。
【００５９】
キャビネット１ａ内部の下方には、多量のメダルを収容可能で、それらを１枚ずつ排出可能な構造を有するメダル払出装置（以下、ホッパー）４０が設けられている。ホッパー４０の左側には、パチスロ１が有する各装置に対して必要な電力を供給するための電源装置４３が設けられている。
【００６０】
フロントドア２裏側の中央、表示窓２１Ｌ，２１Ｃ，２１Ｒの下方には、セレクタ４２が設けられている。セレクタ４２は、材質や形状等が適正であるメダルか否かを選別する装置であり、メダル投入口１０に受け入れられた適正なメダルをホッパー４０へ案内する。尚、セレクタ４２内においてメダルが通過する経路上には、後述のメダルセンサ４２Ｓ（後述の図９参照）が設けられており、適正なメダルが通過したことを検出する。
【００６１】
（リールユニット）
次に、図４〜図８を参照して、本実施の形態におけるパチスロ１が備えるリールユニット３の構成を説明する。ここで、図４は、リールユニット３の構成を示す斜視図、図５は、リール３Ｌの構成を示す斜視図、図６は、リール３Ｌの構成を示す側面図、図７は、リールの圧縮ばねを示す側面図、図８は、リールの圧縮ばねを示す部分断面図である。
【００６２】
図４に示すように、各リール３Ｌ，３Ｃ，３Ｒは、アングル部材６３０に回転可能に支持され、横一列に設けられている。これらのリール３Ｌ，３Ｃ，３Ｒは、図示されないリールケースに着脱自在に収容されている。各リール３Ｌ，３Ｃ，３Ｒは、同様に構成されているので、リール３Ｌを代表して以下に説明する。
【００６３】
図３に示すように、リール３Ｌは、アングル部材６３０（図４及び図５参照）によってキャビネット１ａ内に配設されている。アングル部材６３０は、図４に示すように、リールユニット３の一部を構成している。
【００６４】
図４〜図６に示すように、リール３Ｌは、回転可能なリールドラム６１ａと、リールドラム６１ａの外周に取り付けられたリール帯６１ｂとを有している。リール帯６１ｂには、複数の図柄が形成されている。
【００６５】
図４及び図５に示すように、リールドラム６１ａは、ハブ６１０を備えている。ハブ６１０は、図８に示すように、アングル部材６３０にベアリング６１９を介して回転可能に連結された片持ちの回転軸６１１に支持されている。
【００６６】
図５に示すように、ハブ６１０には、ハブ６１０を中心として放射状に延びる複数のスポーク６１２が連結されている。そして、複数のスポーク６１２の延端には円環状の第１リム６１３が結合されている。
【００６７】
リールドラム６１ａは、第１リム６１３に対向して円環状の第２リム６１４が配設されている。第２リム６１４は、リール帯６１ｂが結合されている。つまり、第１リム６１３に支持されたリール帯６１ｂが第２リム６１４に結合されている。
【００６８】
また、図６及び図８に示すように、アングル部材６３０には、ステッピングモータ４９Ｌが取り付けられており、ステッピングモータ４９Ｌは、リール３Ｌの内部に収納されている。ステッピングモータ４９Ｌの出力軸には、歯数の少ない原動歯車６１７が嵌合されている。一方、ハブ６１０には、原動歯車６１７に噛み合う歯数の多い従動歯車６１８が取り付けられている。
【００６９】
また、図４〜図６及び図８に示すように、回転軸６１１の先端部には、ねじ６１１ｃによりリング板６１１ａが取り付けられている。リング板６１１ａとハブ６１０との間には、リング板６１１ｂを介してスプリング６２２が配設され、ハブ６１０を回転軸６１１の基端部側に付勢している。リールドラム６１ａの内部には、図６に示すように、リールドラム６１ａの回転角度を検出する検知部６５０が配置されている。
【００７０】
また、リールユニット３は、図６に示すように、バックライト６２１を有している。バックライト６２１は、アングル部材６３０に支持され、リール３Ｌを介して表示窓２１Ｌ（図２参照）に対向している。
【００７１】
以上のように構成されたリール３Ｌ、原動歯車６１７及び従動歯車６１８は、軽量化等のため、熱可塑性樹脂（例えば、ＡＢＳ樹脂やＰＣ樹脂等）から成形されている。
【００７２】
（圧縮ばね）
また、図８に示すように、リール３Ｌのハブ６１０は、従動歯車６１８のボス部６１８ａを圧入する圧入穴６１０ａを中心に有する。尚、説明の便宜上、ボス部６１８ａと圧入穴６１０ａとの当接部分を圧入部６１０ｂと称する。
【００７３】
従動歯車６１８は、一方が回転軸６１１に向けて開口すると共に他方がリール３Ｌとの圧入部６１０ｂに対向する凹部６２０を有している。凹部６２０には、圧入部６１０ｂ側に開口部を有する収納体６２６を介して圧縮ばね６２５が配設されている。
【００７４】
圧縮ばね６２５は、圧入部６１０ｂ及び回転軸６１１を付勢するために設けられたものである。すなわち、圧縮ばね６２５は、圧入部６１０ｂが例えば７０度以上の温度になり、熱収縮によって当該圧入部６１０ｂに微小な隙間が生じようとしても、当該隙間を生じさせないように付勢する。
【００７５】
以上のようにリール３Ｌに設けられた凹部６２０、収納体６２６及び圧縮ばね６２５は、リール３Ｃ，３Ｒについても同様に設けられている。
【００７６】
［パチスロが備える回路の構成］
パチスロ１の構造についての説明は以上である。次に、図９及び図１０を参照して、本実施の形態におけるパチスロ１が備える回路の構成について説明する。本実施の形態におけるパチスロ１は、主制御回路７１、副制御回路７２及びこれらと電気的に接続する周辺装置（アクチュエータ）を備える。
【００７７】
＜主制御回路＞
図９は、パチスロ１の主制御回路７１の構成を示すブロック図である。
【００７８】
（マイクロコンピュータ）
主制御回路７１は、回路基板上に設置されたマイクロコンピュータ３０を主たる構成要素としている。マイクロコンピュータ３０は、ＣＰＵ（以下、メインＣＰＵ）３１、ＲＯＭ（以下、メインＲＯＭ）３２及びＲＡＭ（以下、メインＲＡＭ）３３により構成される。
【００７９】
メインＲＯＭ３２には、メインＣＰＵ３１により実行される制御プログラム、内部抽籤テーブル等のデータテーブル、副制御回路７２に対して各種制御指令（コマンド）を送信するためのデータ等が記憶されている。メインＲＡＭ３３には、制御プログラムの実行により決定された内部当籤役等の各種データを格納する格納領域が設けられる。
【００８０】
（乱数発生器等）
メインＣＰＵ３１には、クロックパルス発生回路３４、分周器３５、乱数発生器３６及びサンプリング回路３７が接続されている。クロックパルス発生回路３４及び分周器３５は、クロックパルスを発生する。メインＣＰＵ３１は、発生されたクロックパルスに基づいて、制御プログラムを実行する。乱数発生器３６は、予め定められた範囲の乱数（例えば、０〜６５５３５）を発生する。サンプリング回路３７は、発生された乱数の中から一つの値を抽出する。
【００８１】
（スイッチ等）
マイクロコンピュータ３０の入力ポートには、スイッチ等が接続されている。メインＣＰＵ３１は、スイッチ等の入力を受けて、ステッピングモータ４９Ｌ，４９Ｃ，４９Ｒ等の周辺装置の動作を制御する。ストップスイッチ７Ｓは、３つのストップボタン７Ｌ，７Ｃ，７Ｒのそれぞれが遊技者により押されたこと（停止操作）を検出する。また、スタートスイッチ６Ｓは、スタートレバー６が遊技者により操作されたこと（開始操作）を検出する。
【００８２】
メダルセンサ４２Ｓは、メダル投入口１０に受け入れられたメダルが前述のセレクタ４２内を通過したことを検出する。また、ベットスイッチ１１Ｓは、ベットボタン１１が遊技者により押されたことを検出する。また、精算スイッチ１２Ｓは、精算ボタン１２が遊技者により押されたことを検出する。
【００８３】
（周辺装置及び回路）
マイクロコンピュータ３０により動作が制御される周辺装置としては、ステッピングモータ４９Ｌ，４９Ｃ，４９Ｒ、７セグ表示器１３及びホッパー４０がある。また、マイクロコンピュータ３０の出力ポートには、各周辺装置の動作を制御するための回路が接続されている。
【００８４】
モータ駆動回路３９は、各リール３Ｌ，３Ｃ，３Ｒに対応して設けられたステッピングモータ４９Ｌ，４９Ｃ，４９Ｒの駆動を制御する。リール位置検出回路５０は、発光部と受光部とを有する光センサにより、リール３Ｌ，３Ｃ，３Ｒが一回転したことを示すリールインデックスを各リール３Ｌ，３Ｃ，３Ｒに応じて検出する。
【００８５】
ステッピングモータ４９Ｌ，４９Ｃ，４９Ｒは、運動量がパルスの出力数に比例し、回転軸を指定された角度で停止させることが可能な構成を備えている。ステッピングモータ４９Ｌ，４９Ｃ，４９Ｒの駆動力は、所定の減速比をもったギアを介してリール３Ｌ，３Ｃ，３Ｒに伝達される。ステッピングモータ４９Ｌ，４９Ｃ，４９Ｒに対して１回のパルスが出力されるごとに、リール３Ｌ，３Ｃ，３Ｒは一定の角度で回転する。
【００８６】
メインＣＰＵ３１は、リールインデックスを検出してからステッピングモータ４９Ｌ，４９Ｃ，４９Ｒに対してパルスを出力した回数をカウントすることによって、リール３Ｌ，３Ｃ，３Ｒの回転角度（主に、リール３Ｌ，３Ｃ，３Ｒが図柄何個分だけ回転したか）を管理し、リール３Ｌ，３Ｃ，３Ｒの表面に配された各図柄の位置を管理するようにしている。
【００８７】
表示部駆動回路４８は、７セグ表示器１３の動作を制御する。また、ホッパー駆動回路４１は、ホッパー４０の動作を制御する。また、払出完了信号回路５１は、ホッパー４０に設けられたメダル検出部４０Ｓが行うメダルの検出を管理し、ホッパー４０から外部に排出されたメダルが払出枚数に達したか否かをチェックする。
【００８８】
＜副制御回路＞
図１０は、パチスロ１の副制御回路７２の構成を示すブロック図である。
【００８９】
副制御回路７２は、主制御回路７１と電気的に接続されており、主制御回路７１から送信されるコマンドに基づいて演出内容の決定や実行等の処理を行う。副制御回路７２は、基本的に、ＣＰＵ（以下、サブＣＰＵ）８１、ＲＯＭ（以下、サブＲＯＭ）８２、ＲＡＭ（以下、サブＲＡＭ）８３、レンダリングプロセッサ８４、描画用ＲＡＭ８５、ドライバ８７、ＤＳＰ（デジタルシグナルプロセッサ）８８、オーディオＲＡＭ８９、Ａ／Ｄ変換器９０及びアンプ９１を含んで構成されている。
【００９０】
サブＣＰＵ８１は、主制御回路７１から送信されたコマンドに応じて、サブＲＯＭ８２に記憶されている制御プログラムに従い、映像、音、光の出力の制御を行う。サブＲＡＭ８３は、決定された演出内容や演出データを登録する格納領域や、主制御回路７１から送信される内部当籤役等の各種データを格納する格納領域が設けられている。サブＲＯＭ８２は、基本的に、プログラム記憶領域とデータ記憶領域によって構成される。
【００９１】
プログラム記憶領域には、サブＣＰＵ８１が実行する制御プログラムが記憶されている。例えば、制御プログラムには、主制御回路７１との通信を制御するための主基板通信タスクや、演出用乱数値を抽出し、演出内容（演出データ）の決定及び登録を行うための演出登録タスク、決定した演出内容に基づいて液晶表示装置５による映像の表示を制御する描画制御タスク、ランプ１４による光の出力を制御するランプ制御タスク、スピーカ９Ｌ，９Ｒによる音の出力を制御する音声制御タスク等が含まれる。
【００９２】
データ記憶領域は、各種データテーブルを記憶する記憶領域、各演出内容を構成する演出データを記憶する記憶領域、映像の作成に関するアニメーションデータを記憶する記憶領域、ＢＧＭや効果音に関するサウンドデータを記憶する記憶領域、光の点消灯のパターンに関するランプデータを記憶する記憶領域等が含まれている。
【００９３】
また、副制御回路７２には、その動作が制御される周辺装置として、液晶表示装置５、スピーカ９Ｌ，９Ｒ、ランプ１４が接続されている。
【００９４】
サブＣＰＵ８１、レンダリングプロセッサ８４、描画用ＲＡＭ８５（フレームバッファ８６を含む）及びドライバ８７は、演出内容により指定されたアニメーションデータに従って映像を作成し、作成した映像を液晶表示装置５により表示する。
【００９５】
また、サブＣＰＵ８１、ＤＳＰ８８、オーディオＲＡＭ８９、Ａ／Ｄ変換器９０及びアンプ９１は、演出内容により指定されたサウンドデータに従ってＢＧＭ等の音をスピーカ９Ｌ，９Ｒにより出力する。また、サブＣＰＵ８１は、演出内容により指定されたランプデータに従ってランプ１４の点灯及び消灯を行う。
【００９６】
［メインＲＯＭに記憶されているデータテーブルの構成］
パチスロ１が備える回路の構成についての説明は以上である。次に、図１１を参照して、メインＲＯＭ３２に記憶されている図柄配置テーブルの構成について説明する。
【００９７】
［図柄配置テーブル］
図１１は、図柄配置テーブルを示す説明図である。図柄配置テーブルは、各リール３Ｌ，３Ｃ，３Ｒの回転方向における各図柄の位置と、各位置に配された図柄の種類を特定するデータ（以下、図柄コード）とを規定している。
【００９８】
図柄配置テーブルは、リールインデックスが検出されるときに表示窓２１Ｌ，２１Ｃ，２１Ｒ内の中段に存在する図柄の位置を「０」として、リール３Ｌ，３Ｃ，３Ｒの回転方向に進む順に、各図柄の位置に対して「０」〜「２０」をそれぞれ割り当てている。したがって、リールインデックスが検出されてから図柄何個分の回転が行われたかを管理しつつ、図柄配置テーブルを参照することによって、主として表示窓２１Ｌ，２１Ｃ，２１Ｒの中段に存在する図柄の位置及びその図柄の種類を常に管理することが可能となっている。
【００９９】
［パチスロにおいて実行されるプログラムフロー］
次に、図１２を参照して、主制御回路７１のメインＣＰＵ３１により実行されるプログラムの内容について説明する。
【０１００】
［主制御回路のメインＣＰＵの制御によるメインフローチャート］
図１２は、メインＣＰＵ３１の基本制御を示すメインフローチャートである。パチスロ１に電源が投入されると、はじめに、メインＣＰＵ３１は、初期化処理を行う（Ｓ１）。次に、メインＣＰＵ３１は、メインＲＡＭ３３における指定格納領域のクリアを行う（Ｓ２）。この処理では、例えば、内部当籤役格納領域や表示役格納領域等、１回の遊技ごとに消去が必要となる格納領域に格納されたデータがクリアされる。
【０１０１】
次に、メインＣＰＵ３１は、メダル受付・スタートチェック処理を行う（Ｓ３）。この処理では、メダルセンサ４２Ｓやスタートスイッチ６Ｓの入力のチェック等が行われる。
【０１０２】
次に、メインＣＰＵ３１は、乱数値を抽出し、メインＲＡＭ３３に設けられた乱数値格納領域に格納する（Ｓ４）。次に、メインＣＰＵ３１は、内部抽籤処理を行う（Ｓ５）。この処理では、乱数値に基づいた抽籤により内部当籤役の決定が行われる。次に、メインＣＰＵ３１は、スタートコマンドを副制御回路７２に対して送信する（Ｓ６）。スタートコマンドは、内部当籤役等を特定するパラメータを含んで構成される。
【０１０３】
次に、メインＣＰＵ３１は、全リール３Ｌ，３Ｃ，３Ｒの回転開始を要求する（Ｓ７）。尚、全リール３Ｌ，３Ｃ，３Ｒの回転開始が要求されると、一定の周期（１．１１７３ｍｓｅｃ）で実行される割込処理によってステッピングモータ４９Ｌ，４９Ｃ，４９Ｒの駆動が制御され、各リール３Ｌ，３Ｃ，３Ｒの回転が開始される。
【０１０４】
次に、メインＣＰＵ３１は、リール停止制御処理を行う（Ｓ８）。この処理では、ストップスイッチ７Ｓの入力のチェックが行われ、ストップボタン７Ｌ，７Ｃ，７Ｒが押されたタイミングと内部当籤役とに基づいて該当リール３Ｌ，３Ｃ，３Ｒの回転が停止される。
【０１０５】
次に、メインＣＰＵ３１は、入賞判定ラインに沿って表示された図柄の組合せを検索し、その結果に基づいて払出枚数等を決定する（Ｓ９）。検索の結果、入賞判定ラインに沿って表示された図柄の組合せが図柄組合せテーブルにより規定されている図柄の組合せと一致する場合、対応する表示役及び払出枚数が決定される。次に、メインＣＰＵ３１は、表示コマンドを副制御回路７２に対して送信する（Ｓ１０）。表示コマンドは、表示役や払出枚数等を特定するパラメータを含んで構成される。
【０１０６】
次に、メインＣＰＵ３１は、メダル払出処理を行う（Ｓ１１）。この処理では、決定された払出枚数に基づいて、ホッパー４０の駆動やクレジット枚数の更新が行われる。次に、メインＣＰＵ３１は、払出枚数に基づいて、ボーナス終了枚数カウンタを更新する（Ｓ１２）。この処理では、払出枚数として決定された数値がボーナス終了枚数カウンタから減算される。
【０１０７】
次に、メインＣＰＵ３１は、ボーナス作動中フラグがオンであるか否かを判別する（Ｓ１３）。メインＣＰＵ３１は、ボーナス作動中フラグがオンであると判別したときには、ボーナス終了チェック処理を行う（Ｓ１４）。この処理では、ボーナスの終了契機を管理するための各種カウンタを参照して、ボーナスの作動を終了するか否かがチェックされる。
【０１０８】
メインＣＰＵ３１は、Ｓ１４の後、又は、Ｓ１３においてボーナス作動中フラグがオンではないと判別したときには、ボーナス作動チェック処理を行う（Ｓ１５）。この処理では、ボーナスの作動を開始するか否かがチェックされる。この処理が終了すると、Ｓ２に移る。
【０１０９】
（圧縮ばねの作用等）
次に、図７を参照して、圧縮ばね６２５が奏する作用及び効果について説明する。
【０１１０】
合成樹脂成形品のリール３Ｌと従動歯車６１８とが圧入固定されており、高温条件下で使用される場合であっても、従動歯車６１８の凹部６２０に設けられた圧縮ばね６２５が、圧入部６１０ｂ及び回転軸６１１を常時付勢している。
【０１１１】
このため、圧入部６１０ｂが例えば７０度以上の温度になり、熱収縮によって当該圧入部６１０ｂに微小な隙間が生じようとしても、上記圧縮ばね６２５によって圧入部６１０ｂが密着する方向に付勢されているので、微小な隙間は生じず、圧入の効果が低減されることがない。
【０１１２】
また、合成樹脂成形品のリール３Ｌと従動歯車６１８に、ある程度の寸法ばらつき（製造誤差）があっても、上記圧縮ばね６２５によって圧入部が密着する方向に付勢されているので、当該寸法ばらつきによる微小な隙間を吸収することができる。よって、合成樹脂成形品の寸法管理を緩和することができる。
【０１１３】
上述したリール３Ｌが奏する作用及び効果は、他のリール３Ｃ，３Ｒも同様に奏するので、説明を省略する。
【０１１４】
以上のように、第１実施形態によれば、合成樹脂成形品のリール３Ｃ，３Ｌ，３Ｒと従動歯車６１８とが圧入固定されているパチスロ１において、高温条件下で使用される場合であっても、簡易な構成によってリール３Ｃ，３Ｌ，３Ｒの振動発生を抑制することができる。
【０１１５】
尚、上記第１実施形態においては、リール３Ｌに凹部６２０及び圧縮ばね６２５を一つ設けるものとして説明したが、これに限定されず、複数設けてもよい。この場合も上記第１実施形態と同様の効果を期待できる。
【０１１６】
また、上記第１実施形態においては、ステッピングモータ４９Ｌの駆動力伝動手段として歯車を用いるものとして説明したが、これに限定されず、例えば、タイミングベルトやプーリからなる駆動力伝動手段に本発明を適用してもよい。この場合も上記第１実施形態と同様の効果を期待できる。
【０１１７】
〔第２実施形態〕
（リールユニット）
次に、図１３〜図１７を参照して、第２実施形態におけるパチスロ１が備えるリール３Ｌの構成を説明する。尚、リール３Ｃ，３Ｒの構成は、リール３Ｌの構成と同一であるので、詳細な説明を省略する。
【０１１８】
ここで、図１３は、第２実施形態に係るリールユニット３の構成を示す斜視図、図１４は、リール３Ｌの構成を示す斜視図、図１５は、リール３Ｌの構成を示す側面図、図１６は、リールの弾性体を示す側面図、図１７は、リール３Ｌの弾性体を示す部分断面図である。
【０１１９】
図１３に示すように、各リール３Ｌ，３Ｃ，３Ｒは、アングル部材６３０に回転可能に支持され、横一列に設けられている。これらのリール３Ｌ，３Ｃ，３Ｒは、図示されないリールケースに着脱自在に収容されている。各リール３Ｌ，３Ｃ，３Ｒは、同様に構成されているので、リール３Ｌを代表して以下に説明する。
【０１２０】
図３に示すように、リール３Ｌは、アングル部材６３０（図１３及び図１４参照）によってキャビネット１ａ内に配設されている。アングル部材６３０は、図１３に示すように、リールユニット３の一部を構成している。
【０１２１】
図１３〜図１５に示すように、リール３Ｌは、回転可能なリールドラム６１ａと、リールドラム６１ａの外周に取り付けられたリール帯６１ｂとを有している。リール帯６１ｂには、複数の図柄が形成されている。
【０１２２】
図１３及び図１４に示すように、リールドラム６１ａは、ハブ６１０を備えている。ハブ６１０は、図１７に示すように、アングル部材６３０にベアリング６１９を介して回転可能に連結された片持ちの回転軸６１１に支持されている。
【０１２３】
図１４に示すように、ハブ６１０には、ハブ６１０を中心として放射状に延びる複数のスポーク６１２が連結されている。そして、複数のスポーク６１２の延端には円環状の第１リム６１３が結合されている。
【０１２４】
リールドラム６１ａは、第１リム６１３に対向して円環状の第２リム６１４が配設されている。第２リム６１４は、リール帯６１ｂが結合されている。つまり、第１リム６１３に支持されたリール帯６１ｂが第２リム６１４に結合されている。
【０１２５】
また、図１５及び図１７に示すように、アングル部材６３０には、ステッピングモータ４９Ｌが取り付けられており、ステッピングモータ４９Ｌは、リール３Ｌの内部に収納されている。ステッピングモータ４９Ｌの出力軸には、歯数の少ない原動歯車６１７が嵌合されている。一方、ハブ６１０には、原動歯車６１７に噛み合う歯数の多い従動歯車６１８が取り付けられている。
【０１２６】
また、図１３〜図１５、及び図１７に示すように、回転軸６１１の先端部には、ねじ６１１ｃによりリング板６１１ａが取り付けられている。リング板６１１ａとハブ６１０との間には、リング板６１１ｂを介してスプリング６２２が配設され、ハブ６１０を回転軸６１１の基端部側に付勢している。リールドラム６１ａの内部には、図１５に示すように、リールドラム６１ａの回転角度を検出する検知部６５０が配置されている。
【０１２７】
また、リールユニット３は、図１５に示すように、バックライト６２１を有している。バックライト６２１は、アングル部材６３０に支持され、リール３Ｌを介して表示窓２１Ｌ（図２参照）に対向している。
【０１２８】
以上のように構成されたリール３Ｌ、原動歯車６１７及び従動歯車６１８は、軽量化等のため、熱可塑性樹脂（例えば、ＡＢＳ樹脂やＰＣ樹脂等）から成形されている。
【０１２９】
（弾性体）
また、図１７に示すように、リール３Ｌのハブ６１０は、従動歯車６１８のボス部６１８ａを圧入する圧入穴６１０ａを中心に有する。尚、説明の便宜上、ボス部６１８ａと圧入穴６１０ａとの当接部分を圧入部６１０ｂと称する。
【０１３０】
従動歯車６１８は、一方が回転軸６１１に向けて開口すると共に他方がリール３Ｌとの圧入部６１０ｂに対向する凹部６２０を有している。凹部６２０には、弾性体６２７が配設されている。
【０１３１】
弾性体６２７は、圧入部６１０ｂ及び回転軸６１１を付勢するために設けられたものである。すなわち、弾性体６２７は、圧入部６１０ｂが例えば７０度以上の温度になり、熱収縮によって当該圧入部６１０ｂに微小な隙間が生じようとしても、当該隙間を生じさせないように付勢する。
【０１３２】
弾性体６２７は、例えば、天然ゴム、合成ゴム（例えば、クロロプレンゴム等）及び熱可塑性エラストマーのうちいずれか一つから形成されている。
【０１３３】
以上のようにリール３Ｌに設けられた凹部６２０及び弾性体６２７は、リール３Ｃ，３Ｒについても同様に設けられている。
【０１３４】
パチスロ１のリールユニット３以外の構成は、上記第１実施形態と同様であるので重複説明を省略する。
【０１３５】
（弾性体の作用等）
次に、図１６を参照して、弾性体６２７が奏する作用及び効果について説明する。
【０１３６】
合成樹脂成形品のリール３Ｌと従動歯車６１８とが圧入固定されており、高温条件下で使用される場合であっても、従動歯車６１８の凹部６２０に設けられた弾性体６２７が、圧入部６１０ｂ及び回転軸６１１を常時付勢している。
【０１３７】
このため、圧入部６１０ｂが例えば７０度以上の温度になり、熱収縮によって当該圧入部６１０ｂに微小な隙間が生じようとしても、上記弾性体６２７によって圧入部６１０ｂが密着する方向に付勢されているので、微小な隙間は生じず、圧入の効果が低減されることがない。
【０１３８】
また、合成樹脂成形品のリール３Ｌと従動歯車６１８に、ある程度の寸法ばらつき（製造誤差）があっても、上記弾性体６２７によって圧入部が密着する方向に付勢されているので、当該寸法ばらつきによる微小な隙間を吸収することができる。よって、合成樹脂成形品の寸法管理を緩和することができる。
【０１３９】
上述したリール３Ｌが奏する作用及び効果は、他のリール３Ｃ，３Ｒも同様に奏するので、説明を省略する。
【０１４０】
また、パチスロ１のその他の作用効果は、上記第１実施形態と同様であるので重複説明を省略する。
【０１４１】
以上のように、第２実施形態によれば、合成樹脂成形品のリール３Ｃ，３Ｌ，３Ｒと従動歯車６１８とが圧入固定されているパチスロ１において、高温条件下で使用される場合であっても、簡易な構成によってリール３Ｃ，３Ｌ，３Ｒの振動発生を抑制することができる。
【０１４２】
また、弾性体６２７を、天然ゴム、合成ゴム（例えば、クロロプレンゴム等）及び熱可塑性エラストマーといった汎用的な素材のうち、いずれか一つから形成することによって、低コストで構成することができる。
【０１４３】
尚、上記第２実施形態においては、リール３Ｌに凹部６２０及び弾性体６２７を一つ設けるものとして説明したが、これに限定されず、複数設けてもよい。この場合も上記第２実施形態と同様の効果を期待できる。
【０１４４】
上記第２実施形態においては、弾性体６２７は、例えば、天然ゴム、合成ゴム（例えば、クロロプレンゴム等）及び熱可塑性エラストマーのうちいずれか一つから形成されているものとして説明したが、これに限定されず、上記高温条件下において所定の弾性力（付勢力）を有するものであれば、その他の素材によって構成してもよい。
【０１４５】
また、上記第２実施形態においては、ステッピングモータ４９Ｌの駆動力伝動手段として歯車を用いるものとして説明したが、これに限定されず、例えば、タイミングベルトやプーリからなる駆動力伝動手段に本発明を適用してもよい。この場合も上記第２実施形態と同様の効果を期待できる。
【０１４６】
〔第３実施形態〕
（リールユニット）
次に、図１８〜図１９を参照して、第３実施形態におけるパチスロ１が備えるリール３Ｌの構成を説明する。尚、リール３Ｃ，３Ｒの構成は、リール３Ｌの構成と同一であるので、詳細な説明を省略する。
【０１４７】
ここで、図１８は、第３実施形態に係るリールユニット３の構成を示す斜視図、図１９は、リール３Ｌの構成を示す斜視図、図２０は、リール３Ｌの構成を示す側面図である。
【０１４８】
図１８に示すように、各リール３Ｌ，３Ｃ，３Ｒは、アングル部材６３０に回転可能に支持され、横一列に設けられている。これらのリール３Ｌ，３Ｃ，３Ｒは、図示されないリールケースに着脱自在に収容されている。各リール３Ｌ，３Ｃ，３Ｒは、同様に構成されているので、リール３Ｌを代表して以下に説明する。
【０１４９】
図３に示すように、リール３Ｌは、アングル部材６３０（図１８及び図１９参照）によってキャビネット１ａ内に配設されている。アングル部材６３０は、図１８に示すように、リールユニット３の一部を構成している。
【０１５０】
図１８〜図２０に示すように、リール３Ｌは、回転可能なリールドラム６１ａと、リールドラム６１ａの外周に取り付けられたリール帯６１ｂとを有している。リール帯６１ｂには、複数の図柄が形成されている。
【０１５１】
図１８及び図１９に示すように、リールドラム６１ａは、ハブ６１０を備えている。ハブ６１０は、アングル部材６３０にベアリング（図示せず）を介して回転可能に連結された片持ちの回転軸６１１に支持されている。
【０１５２】
図１９に示すように、ハブ６１０には、ハブ６１０を中心として放射状に延びる複数のスポーク６１２が連結されている。そして、複数のスポーク６１２の延端には円環状の第１リム６１３が結合されている。
【０１５３】
リールドラム６１ａは、第１リム６１３に対向して円環状の第２リム６１４が配設されている。第２リム６１４は、リール帯６１ｂが結合されている。つまり、第１リム６１３に支持されたリール帯６１ｂが第２リム６１４に結合されている。
【０１５４】
また、図２０に示すように、アングル部材６３０には、ステッピングモータ４９Ｌが取り付けられており、ステッピングモータ４９Ｌは、リール３Ｌの内部に収納されている。ステッピングモータ４９Ｌの出力軸には、歯数の少ない原動歯車６１７が嵌合されている。一方、ハブ６１０には、原動歯車６１７に噛み合う歯数の多い従動歯車６１８が取り付けられている。
【０１５５】
また、図１８〜図２０に示すように、回転軸６１１の先端部には、リング板６１１ａが取り付けられている。リング板６１１ａとハブ６１０との間には、スプリング６２２が配設され、ハブ６１０を回転軸６１１の基端部側に付勢している。リールドラム６１ａの内部には、図２０に示すように、リールドラム６１ａの回転角度を検出する検知部６５０が配置されている。
【０１５６】
また、リールユニット３は、図２０に示すように、バックライト６２１を有している。バックライト６２１は、アングル部材６３０に支持され、リール３Ｌを介して表示窓２１Ｌ（図２参照）に対向している。
【０１５７】
以上のように構成されたリール３Ｌは、マグネシウム合金からなる。また、リール３Ｃ，３Ｒは、リール３Ｌと同様にマグネシウム合金からなる。
【０１５８】
パチスロ１のリールユニット３以外の構成は、上記第１実施形態と同様であるので重複説明を省略する。
【０１５９】
（リールの作用等）
マグネシウム合金は、比強度（強度／比重）が熱可塑性樹脂（例えば、ＡＢＳ樹脂やＰＣ樹脂等）の１０倍程度あるため、剛性を向上でき、ステッピングモータ４９Ｃ，４９Ｌ，４９Ｒの回転出力に対してリール３Ｃ，３Ｌ，３Ｒの外周での応答性が改善される。
【０１６０】
また、マグネシウム合金の比重は、上記熱可塑性樹脂の１．５倍程度あるが、上述したように比強度に優れている。このため、リール３Ｃ，３Ｌ，３Ｒをマグネシウム合金によって形成しても、リール３Ｃ，３Ｌ，３Ｒ各部の肉厚を薄くする等、構造を簡素化することによって、結果的に全体の重量を低減することができ、小型軽量化を維持できる。
【０１６１】
また、マグネシウム合金は、高温条件下で使用される場合であっても、寸法安定性に優れているため、従来の合成樹脂成形品のリール３Ｃ，３Ｌ，３Ｒにおいて生じていた圧入部における熱変形（熱収縮）の問題は生じない。
【０１６２】
以上のように、第３実施形態によれば、高温条件下で使用される場合であっても寸法安定性に優れ、剛性を確保しつつ小型軽量化を図ることができるリール３Ｃ，３Ｌ，３Ｒを備えたパチスロ１を提供することができる。
【図面の簡単な説明】
【０１６３】
【図１】第１実施形態に係るパチスロの機能フローを示す説明図である。
【図２】パチスロの外部構造を示す斜視図である。
【図３】パチスロの内部構造を示す斜視図である。
【図４】リールユニットの構成を示す斜視図である。
【図５】リールの構成を示す斜視図である。
【図６】リールの構成を示す側面図である。
【図７】リールの圧縮ばねを示す側面図である。
【図８】リールの圧縮ばねを示す部分断面図である。
【図９】主制御回路の構成を示すブロック図である。
【図１０】副制御回路の構成を示すブロック図である。
【図１１】図柄配置テーブルを示す説明図である。
【図１２】メインＣＰＵの基本制御を示すメインフローチャートである。
【図１３】第２実施形態に係るリールユニットの構成を示す斜視図である。
【図１４】リールの構成を示す斜視図である。
【図１５】リールの構成を示す側面図である。
【図１６】リールの弾性体を示す側面図である。
【図１７】リールの弾性体を示す部分断面図である。
【図１８】第３実施形態に係るリールユニットの構成を示す斜視図である。
【図１９】リールの構成を示す斜視図である。
【図２０】リールの構成を示す側面図である。
【符号の説明】
【０１６４】
１  パチスロ（遊技機）
３  リールユニット
３Ｃ，３Ｌ，３Ｒ  リール
４９Ｃ，４９Ｌ，４９Ｒ  ステッピングモータ（モータ）
６１０ａ  圧入穴
６１０ｂ  圧入部
６１１  回転軸
６１７  原動歯車（原動車）
６１８  従動歯車（従動車）
６１８ａ  ボス部
６２０  凹部
６２５  圧縮ばね
６２７  弾性体
【図１】
2010005083.tif 000003
【図２】
2010005083.tif 000004
【図３】
2010005083.tif 000005
【図４】
2010005083.tif 000006
【図５】
2010005083.tif 000007
【図６】
2010005083.tif 000008
【図７】
2010005083.tif 000009
【図８】
2010005083.tif 000010
【図９】
2010005083.tif 000011
【図１０】
2010005083.tif 000012
【図１１】
2010005083.tif 000013
【図１２】
2010005083.tif 000014
【図１３】
2010005083.tif 000015
【図１４】
2010005083.tif 000016
【図１５】
2010005083.tif 000017
【図１６】
2010005083.tif 000018
【図１７】
2010005083.tif 000019
【図１８】
2010005083.tif 000020
【図１９】
2010005083.tif 000021
【図２０】
2010005083.tif 000022